(57)【要約】  【課題】  ビデオカメラ、ビデオデッキ等の映像記録再生装置では、撮影中（記録中）にいわゆる追いかけ再生を行なえる機能を有するものがあるが、ビデオカメラではビューファインダとモニタとのいずれがいずれを表示しているのか識別し難く、ビデオデッキではいずれか一方しか表示できない場合が多かった。  【解決手段】  撮影中の映像信号を動画用の記録媒体に記録すると共にビューファインダ１９に表示し、追いかけ再生した映像信号をビューファインダに表示する。また両映像信号の時間差に応じて、たとえば大きさ、表示位置等の表示状態を異ならせる。これにより、二つの映像のいずれが現在の映像又は追いかけ再生の映像であるかが容易に識別可能になる。【選択図】        図１
2006166143.tif 000002
【特許請求の範囲】
【請求項１】
映像信号を記録媒体に記録しつつ、該記録媒体から任意時間遅延させて再生して表示装置に表示する映像記録再生方法において、
前記記録媒体に記録中の映像信号を第１の表示装置に表示するために出力し、
前記記録媒体から再生した映像信号を第２の表示装置に表示するために出力すること
を特徴とする映像記録再生方法。
【請求項２】
前記第１の表示装置に表示するために出力された前記記録媒体に記録中の映像信号と、前記第２の表示装置に表示するために出力された前記記録媒体から再生した映像信号との表示状態を、両映像信号の時間差に応じて異ならせることを特徴とする請求項１に記載の映像記録再生方法。
【請求項３】
映像信号を記録媒体に記録しつつ、該記録媒体から任意時間遅延させて再生して表示装置に表示する映像記録再生装置において、
映像信号を取得する映像信号取得手段と、
該映像信号取得手段が取得した映像信号を第１の表示装置に表示するために第１の映像信号として出力する第１の表示制御手段と、
前記映像信号取得手段が取得した映像信号を記録するために前記記録媒体に書き込む映像信号記録手段と、
前記記録媒体に記録されている映像信号を再生するために読み出す映像信号再生手段と、
該映像信号再生手段が前記記録媒体から読み出した映像信号を第２の表示装置に表示するために第２の映像信号として出力する第２の表示制御手段と
を備えたことを特徴とする映像記録再生装置。
【請求項４】
前記第１の表示制御手段と前記第２の表示制御手段とに、前記第１の映像信号と前記第２の映像信号との間の時間差に応じて両映像信号の表示状態を変化させる制御手段を備えたことを特徴とする請求項３に記載の映像記録再生装置。
【請求項５】
映像信号を記録媒体に記録しつつ、該記録媒体から任意時間遅延させて再生して表示装置に表示する映像記録再生装置において、
映像信号を取得する映像信号取得手段と、
該映像信号取得手段が取得した映像信号を第１の映像信号として出力する第１の表示制御手段と、
前記映像信号取得手段が取得した映像信号を記録するために前記記録媒体に書き込む映像信号記録手段と、
前記記録媒体に記録されている映像信号を再生するために読み出す映像信号再生手段と、
該映像信号再生手段が前記記録媒体から読み出した映像信号を第２の映像信号として出力する第２の表示制御手段と、
前記第１の表示制御手段と前記第２の表示制御手段とに、前記第１の映像信号と前記第２の映像信号との間の時間差に応じて両映像信号の表示状態を変化させる制御手段と、
前記第１の表示制御手段が出力する第１の映像信号と前記第２の表示制御手段が出力する第２の映像信号とが１画面に表示されるように合成し、合成した映像信号を前記表示装置に表示するために出力する映像信号合成手段と
を備えたことを特徴とする映像記録再生装置。
【請求項６】
前記制御手段は、前記第１の表示制御手段と前記第２の表示制御手段とに、前記第１の映像信号と前記第２の映像信号との間の時間差に応じて、両映像信号が表示装置上で表示される大きさを変化させるようにしてあることを特徴とする請求項４又は５に記載の映像記録再生装置。
【請求項７】
前記制御手段は、前記第１の表示制御手段と前記第２の表示制御手段とに、前記第１の映像信号と前記第２の映像信号との間の時間差に応じて、両映像信号が表示装置上で表示される位置を変化させるようにしてあることを特徴とする請求項４又は５に記載の映像記録再生装置。
【請求項８】
前記制御手段は、前記第１の表示制御手段と前記第２の表示制御手段とに、前記第１の映像信号と前記第２の映像信号との間の時間差に応じて、両映像信号が表示装置上で表示される大きさ及び位置を変化させるようにしてあることを特徴とする請求項４又は５に記載の映像記録再生装置。
【請求項９】
前記制御手段は、前記第１の表示制御手段と前記第２の表示制御手段とに、前記第１の映像信号と前記第２の映像信号との間の時間差がゼロになった場合は、前記第１の映像信号を前記第１及び／又は第２の表示装置に表示させるようにしてあることを特徴とする請求項４に記載の映像記録再生装置。
【請求項１０】
前記第１の表示制御手段が出力する第１の映像信号と前記第２の表示制御手段が出力する第２の映像信号とが１画面に表示されるように合成し、合成した映像信号を出力する映像信号合成手段を備え、
前記第１の表示装置及び／又は第２の表示装置に前記映像信号合成手段が合成した映像信号を表示するようにしてあることを特徴とする請求項４、６乃至９のいずれか一つに記載の映像記録再生装置。
【請求項１１】
前記映像信号取得手段は、光学像を取得する光学系と、該光学系が取得した光学像から映像信号を生成する映像信号生成手段とを備えたことを特徴とする請求項３乃至１０のいずれか一つに記載の映像記録再生装置。
【請求項１２】
前記映像信号取得手段は、ＴＶ放送を受信するＴＶチューナであることを特徴とする請求項３乃至１０のいずれか一つに記載の映像記録再生装置。
【請求項１３】
前記映像信号取得手段は、映像信号を入力する入力端子であることを特徴とする請求項３乃至１０のいずれか一つに記載の映像記録再生装置。
【発明の詳細な説明】
【技術分野】
【０００１】
本発明は、記録媒体への映像信号の記録と再生とが見かけ上同時並行的に可能なビデオカメラ、ビデオデッキ等の映像記録再生装置及びそのような装置のための映像記録再生方法に関し、より具体的にはいわゆる追いかけ再生が可能な映像記録再生装置及びそのような装置のための映像記録再生方法に関する。
【背景技術】
【０００２】
近年、ハードディスク，ＤＶＤ等のランダムアクセス可能な記録媒体を利用した映像記録再生装置が普及している。この種の装置では、記録媒体として使用されるハードディスク，ＤＶＤ等に対するデータの書き込み及び読み出し速度が映像信号の記録再生速度に比して十分に速いので、たとえばＴＶ放送の映像信号を記録媒体に記録すると同時に、その記録中の映像信号を過去に遡ったある時点から再生するいわゆる追いかけ再生と称される機能を実現することが可能になっている（特許文献１参照）。
【０００３】
この特許文献１に記載された発明では、記録中の現時点の映像信号と記録媒体から読み出して再生している映像信号とを同一の画面に並列して表示させることが可能であり、また両映像信号が表示装置上で表示される大きさを任意に変化させることも可能である。
【特許文献１】特開２００２−１０１３９１号公報
【発明の開示】
【発明が解決しようとする課題】
【０００４】
しかし、上述の特許文献１に開示されている発明では、一つの表示装置に記録中の現時点の映像信号と記録媒体から読み出して再生している映像信号とを並列して表示する構成を採っているので、たとえばビデオデッキとして構成した場合にはＴＶ受像機の表示装置に二つの映像を表示してもユーザは不便を感じないかもしれないが、ビデオカメラとして構成した場合には表示画面サイズが非常に小さいビューファインダ又は液晶パネル等のモニタに二つの映像を並列して表示することになるため、両映像が共に非常に小さな表示サイズになり、実用上の問題が生じる。
【０００５】
また特許文献１に記載された発明では、記録中の現時点の映像信号と記録媒体から読み出して再生している映像信号とを同一の画面に並列して表示させることが可能であるが、いずれの映像がいずれの映像信号を表示しているのかがユーザには判断し難くなることを解決するために、この種の装置で一般的に使用されている再生状態を示すマーク（右向きの三角形）、記録状態を示すマーク（赤丸）等を画面に併せて表示したり、映像の色を異ならせることによって識別可能にしている。
【０００６】
とはいえ、この種の装置に不慣れなユーザにとってはやはりどちらがどちらであるのかが理解し難く、また追いかけ再生を実時間よりも高速で行なった場合にはやがては記録中の現時点の映像信号に追いかけ再生中の映像信号が追いつくことになる。しかしその間の両映像信号の間の時間差がどの程度であるのかは、特許文献１では記録中の現時点の映像信号の記録開始時点からの経過時間と、追いかけ再生中の映像信号の記録開始時点から再生時点までの経過時間とを表示する構成を採っているので、時，分，秒で両映像に表示される時間を引き算する必要があり、直感的には理解し難いという問題があった。
【０００７】
本発明は以上のような事情に鑑みてなされたものであり、映像信号の記録中にいわゆる追いかけ再生を行なう場合に、両映像をそれぞれ異なる表示装置に表示することにより、両者の識別を容易にすると共に、ビデオカメラ等のような表示装置の画面は小さいが２種類の表示装置を有している場合には両映像をそれぞれ異なる表示装置に表示することを可能とした映像記録再生装置及びそのための映像記録再生方法の提供を主たる目的とする。
【０００８】
また本発明は、記録中の現時点の映像信号と追いかけ再生中の映像信号との間の時間差を直感的に判断することを可能にした映像記録再生装置及びそのための映像記録再生方法の提供を主たる目的とする。
【課題を解決するための手段】
【０００９】
本発明は端的には、映像信号（動画）を記録媒体に記録しつつ一つの表示装置に表示すると共に、任意の時間だけ遅延させて再生した映像信号を他の表示装置に表示するように構成し、両映像信号の時間差に応じて両映像信号の表示状態を異ならせるように構成したことを特徴とする。
【００１０】
本発明に係る映像記録再生方法は、映像信号を記録媒体に記録しつつ、該記録媒体から任意時間遅延させて再生して表示装置に表示する映像記録再生方法において、前記記録媒体に記録中の映像信号を第１の表示装置に表示するために出力し、前記記録媒体から再生した映像信号を第２の表示装置に表示するために出力することを特徴とする。
【００１１】
このような本発明の映像記録再生方法では、記録媒体に記録中の映像信号が第１の表示装置に表示され、記録媒体から再生したいわゆる追いかけ再生の映像信号が第２の表示装置に表示される。
【００１２】
また本発明に係る映像記録再生方法は、上記の映像記録再生方法の発明において、前記第１の表示装置に表示するために出力された前記記録媒体に記録中の映像信号と、前記第２の表示装置に表示するために出力された前記記録媒体から再生した映像信号との表示状態を、両映像信号の時間差に応じて異ならせることを特徴とする。
【００１３】
このような本発明の映像記録再生方法では上記の映像記録再生方法の発明において、第１の表示装置に表示される映像と、これを追いかけ再生した第２の表示装置に表示される映像とが両者の時間差に応じて異なる状態、たとえば表示サイズ、表示位置が異なる状態で表示される。
【００１４】
また本発明に係る映像記録再生装置は、映像信号を記録媒体に記録しつつ、該記録媒体から任意時間遅延させて再生して表示装置に表示する映像記録再生装置において、映像信号を取得する映像信号取得手段と、該映像信号取得手段が取得した映像信号を第１の表示装置に表示するために第１の映像信号として出力する第１の表示制御手段と、前記映像信号取得手段が取得した映像信号を記録するために前記記録媒体に書き込む映像信号記録手段と、前記記録媒体に記録されている映像信号を再生するために読み出す映像信号再生手段と、該映像信号再生手段が前記記録媒体から読み出した映像信号を第２の表示装置に表示するために第２の映像信号として出力する第２の表示制御手段とを備えたことを特徴とする。
【００１５】
このような本発明に係る映像記録再生装置では、記録媒体に記録中の映像信号が第１の表示装置に表示され、記録媒体から再生したいわゆる追いかけ再生の映像信号が第２の表示装置に表示される。
【００１６】
また本発明に係る映像記録再生装置は上記の映像記録再生装置の発明において、前記第１の表示制御手段と前記第２の表示制御手段とに、前記第１の映像信号と前記第２の映像信号との間の時間差に応じて両映像信号の表示状態を変化させる制御手段を備えたことを特徴とする。
【００１７】
このような本発明に係る映像記録再生装置では上記の映像記録再生装置の発明において、第１の表示装置に表示される映像と、これを追いかけ再生した第２の表示装置に表示される映像とが両者の時間差に応じて異なる状態で表示される。
【００１８】
更に本発明に係る映像記録再生装置は、映像信号を記録媒体に記録しつつ、該記録媒体から任意時間遅延させて再生して表示装置に表示する映像記録再生装置において、映像信号を取得する映像信号取得手段と、該映像信号取得手段が取得した映像信号を第１の映像信号として出力する第１の表示制御手段と、前記映像信号取得手段が取得した映像信号を記録するために前記記録媒体に書き込む映像信号記録手段と、前記記録媒体に記録されている映像信号を再生するために読み出す映像信号再生手段と、該映像信号再生手段が前記記録媒体から読み出した映像信号を第２の映像信号として出力する第２の表示制御手段と、前記第１の表示制御手段と前記第２の表示制御手段とに、前記第１の映像信号と前記第２の映像信号との間の時間差に応じて両映像信号の表示状態を変化させる制御手段と、前記第１の表示制御手段が出力する第１の映像信号と前記第２の表示制御手段が出力する第２の映像信号とが１画面に表示されるように合成し、合成した映像信号を前記表示装置に表示するために出力する映像信号合成手段とを備えたことを特徴とする。
【００１９】
このような本発明に係る映像記録再生装置では、記録媒体に記録中の第１の映像信号と記録媒体から再生したいわゆる追いかけ再生の第２の映像信号とが両者の時間差に応じて異なる状態で表示され、しかも両者が合成されて同一の表示装置に表示される。
【００２０】
また更に本発明に係る映像記録再生装置は上記の映像記録再生装置の発明のいずれかにおいて、前記制御手段は、前記第１の表示制御手段と前記第２の表示制御手段とに、前記第１の映像信号と前記第２の映像信号との間の時間差に応じて、両映像信号が表示装置上で表示される大きさを変化させるようにしてあることを特徴とする。
【００２１】
このような本発明に係る映像記録再生装置では上記の映像記録再生装置の発明のいずれかにおいて、両映像信号の時間差に応じて両映像信号が表示装置上で異なる大きさで表示される。
【００２２】
更にまた本発明に係る映像記録再生装置は上記の映像記録再生装置の発明のいずれかにおいて、前記制御手段は、前記第１の表示制御手段と前記第２の表示制御手段とに、前記第１の映像信号と前記第２の映像信号との間の時間差に応じて、両映像信号が表示装置上で表示される位置を変化させるようにしてあることを特徴とする。
【００２３】
このような本発明に係る映像記録再生装置では上記の映像記録再生装置の発明のいずれかにおいて、両映像信号の時間差に応じて両映像信号が表示装置上で異なる位置に表示される。
【００２４】
更にまた本発明に係る映像記録再生装置は上記の映像記録再生装置の発明のいずれかにおいて、前記制御手段は、前記第１の表示制御手段と前記第２の表示制御手段とに、前記第１の映像信号と前記第２の映像信号との間の時間差に応じて、両映像信号が表示装置上で表示される大きさ及び位置を変化させるようにしてあることを特徴とする。
【００２５】
このような本発明に係る映像記録再生装置では上記の映像記録再生装置の発明のいずれかにおいて、両映像信号の時間差に応じて両映像信号が表示装置上で異なる大きさ又は位置、あるいは異なる大きさで且つ異なる位置に表示される。
【００２６】
更にまた本発明に係る映像記録再生装置は上記の映像記録再生装置の発明のいずれかにおいて、前記制御手段は、前記第１の表示制御手段と前記第２の表示制御手段とに、前記第１の映像信号と前記第２の映像信号との間の時間差がゼロになった場合は、前記第１の映像信号を前記第１及び／又は第２の表示装置に表示させるようにしてあることを特徴とする。
【００２７】
このような本発明に係る映像記録再生装置では上記の映像記録再生装置の発明のいずれかにおいて、両映像信号の時間差がゼロになった場合、即ち追いかけ再生が現時点で記録中の映像信号に追い付いた場合には記録中の映像信号がいずれかの表示装置に、又は双方の表示装置に表示される。
【００２８】
更にまた本発明に係る映像記録再生装置は上記の映像記録再生装置の発明のいずれかにおいて、前記第１の表示制御手段が出力する第１の映像信号と前記第２の表示制御手段が出力する第２の映像信号とが１画面に表示されるように合成し、合成した映像信号を出力する映像信号合成手段を備え、前記第１の表示装置及び／又は第２の表示装置に前記映像信号合成手段が合成した映像信号を表示するようにしてあることを特徴とする。
【００２９】
このような本発明に係る映像記録再生装置では上記の映像記録再生装置の発明のいずれかにおいて、記録媒体に記録中の第１の映像信号と記録媒体から再生したいわゆる追いかけ再生の第２の映像信号とが両者の時間差に応じて異なる状態で表示され、しかも両者が合成されて同一の表示装置に表示される。
【００３０】
更にまた本発明に係る映像記録再生装置は上記の映像記録再生装置の発明のいずれかにおいて、前記映像信号取得手段は、光学像を取得する光学系と、該光学系が取得した光学像から映像信号を生成する映像信号生成手段とを備えたことを特徴とする。
【００３１】
このような本発明に係る映像記録再生装置では上記の映像記録再生装置の発明のいずれかにおいて、光学系が取得した光学像から映像信号が生成され、映像信号入力手段から入力される。
【００３２】
更にまた本発明に係る映像記録再生装置は上記の映像記録再生装置の発明のいずれかにおいて、前記映像信号取得手段は、ＴＶ放送を受信するＴＶチューナであることを特徴とする。
【００３３】
このような本発明に係る映像記録再生装置では上記の映像記録再生装置の発明のいずれかにおいて、ＴＶ放送を受信するＴＶチューナから映像信号が取得される。
【００３４】
また更に本発明に係る映像記録再生装置は上記の映像記録再生装置の発明のいずれかにおいて、前記映像信号取得手段は、映像信号を入力する入力端子であることを特徴とする。
【００３５】
このような本発明に係る映像記録再生装置では上記の映像記録再生装置の発明のいずれかにおいて、映像信号を入力する入力端子から映像信号が取得される。
【発明の効果】
【００３６】
以上のような本発明の映像記録再生方法によれば、記録媒体に記録中の映像信号が第１の表示装置に表示され、記録媒体から再生したいわゆる追いかけ再生の映像信号が第２の表示装置に表示されるので、たとえばビューファインダとモニタという二つの表示装置を有するビデオカメラに適用した場合には、一方をビューファインダに、他方をモニタに表示することによりいずれがいずれであるのかが容易に識別可能になる。
【００３７】
また本発明に係る映像記録再生方法によれば上記の映像記録再生方法の発明において、更に両表示装置に表示される映像とが両者の時間差に応じて異なる状態、たとえば表示サイズ、表示位置が異なる状態で表示されるので、両映像の時間差が直感的に認識可能になる。
【００３８】
また本発明に係る映像記録再生装置によれば、記録媒体に記録中の映像信号が第１の表示装置に表示され、記録媒体から再生したいわゆる追いかけ再生の映像信号が第２の表示装置に表示されるたとえばビューファインダとモニタという二つの表示装置を有するビデオカメラに適用した場合には、一方をビューファインダに、他方をモニタに表示することによりいずれがいずれであるのかが容易に識別可能になる。
【００３９】
更に本発明に係る映像記録再生装置によれば上記の映像記録再生装置の発明において、更に両表示装置に表示される映像とが両者の時間差に応じて異なる状態で表示されるので、両映像の時間差が直感的に認識可能になる。
【００４０】
また更に本発明に係る映像記録再生装置によれば、記録媒体に記録中の第１の映像信号と記録媒体から再生したいわゆる追いかけ再生の第２の映像信号とが両者の時間差に応じて異なる状態で表示され、しかも両者が合成されて同一の表示装置に表示されるので、一つの表示装置に両映像が同時に、しかも両者の時間差に応じて異なる状態で表示されるので、両映像の時間差が直感的に認識可能になる。
【００４１】
更にまた本発明に係る映像記録再生装置によれば上記の映像記録再生装置の発明のいずれかにおいて、両映像信号の時間差に応じて両映像信号が表示装置上で異なる大きさで表示されるので、両映像信号の時間差が表示装置上での大きさから直感的に認識可能になる。
【００４２】
更にまた本発明に係る映像記録再生装置によれば上記の映像記録再生装置の発明のいずれかにおいて、両映像信号の時間差に応じて両映像信号が表示装置上で異なる位置に表示されるので、両映像信号の時間差が表示装置上での表示位置から直感的に認識可能になる。
【００４３】
更にまた本発明に係る映像記録再生装置によれば上記の映像記録再生装置の発明のいずれかにおいて、両映像信号の時間差に応じて両映像信号が表示装置上で異なる大きさ又は位置、あるいは異なる大きさでしかも異なる位置に表示されるので、両映像信号の時間差が表示装置上での大きさ又は表示位置、あるいはそれらの双方から直感的に認識可能になる。
【００４４】
更にまた本発明に係る映像記録再生装置によれば上記の映像記録再生装置の発明のいずれかにおいて、両映像信号の時間差がゼロになった場合、即ち追いかけ再生が現時点で記録中の映像信号に追い付いた場合には記録中の映像信号がいずれかの表示装置に、又は双方の表示装置に表示されるので、一方の表示装置のみに表示された場合、または両者が同一の大きさで双方の表示装置に表示された場合、両者が同一の位置で双方の表示装置に表示された場合、等には追いかけ再生が記録中の映像に追い付いたことが容易に識別可能になる。
【００４５】
更にまた本発明に係る映像記録再生装置によれば上記の映像記録再生装置の発明のいずれかにおいて、記録媒体に記録中の第１の映像信号と記録媒体から再生したいわゆる追いかけ再生の第２の映像信号とが両者の時間差に応じて異なる状態で表示され、しかも両者が合成されて同一の表示装置に表示されるので、一つの表示装置に両映像が同時に、しかも両者の時間差に応じて異なる状態で表示されるので、両映像の時間差が直感的に認識可能になる。
【００４６】
更にまた本発明に係る映像記録再生装置によれば上記の映像記録再生装置の発明のいずれかにおいて、光学系が取得した光学像から映像信号を生成して映像信号を取得することが可能になるので、ビデオカメラとして実現させることが可能になる。
【００４７】
また更に本発明に係る映像記録再生装置によれば上記の映像記録再生装置の発明のいずれかにおいて、ＴＶチューナから映像信号を取得することが可能になるので、ビデオデッキとして実現させることが可能になる。
【００４８】
なお更に本発明に係る映像記録再生装置によれば上記の映像記録再生装置の発明のいずれかにおいて、入力端子から映像信号を取得することが可能になるので、ビデオカメラ又はビデオデッキとして実現された本発明に係る映像記録再生装置に外部から映像信号を入力して上述同様の効果を発揮させることができる。
【発明を実施するための最良の形態】
【００４９】
以下、本発明をその実施の形態を示す図面を参照して具体的に説明する。図１は本発明に係る映像記録再生装置の一実施の形態としてのビデオカメラの外観を示す模式的斜視図であり、図１（ａ）は左後方から、図１（ｂ）は左前方からそれぞれ見た状態を示している。なお、本発明に係る映像記録再生装置はビデオカメラとしてのみならず、後述するようにビデオデッキとして実現することも可能である。
【００５０】
本発明に係る映像記録再生装置としてのビデオカメラ１は、外観的には一般的なビデオカメラと同様であり、上部前端部に光学系１１の対物レンズ１１Ｌが露出しており、上部後端部にはビューファインダ１９が備えられている。また左側部には液晶表示パネルを使用したモニタ１８がその前端部において本体に対して枢支されることにより、開閉可能に取り付けられている。なお、１８Ｓはモニタ１８の画面を、１９Ｓはビューファインダ１９の画面をそれぞれ示している。また、２０は音声を再生するためのスピーカである。
【００５１】
更に、モニタ１８を開いた場合に露出するビデオカメラ１の左側面には、ユーザがビデオカメラ１を操作したり、種々の設定（後述する動画モード、静止画モード等の設定、追いかけ再生時の操作ボタン等を含む）を行なうために必要な種々のスイッチ，ボタン等が配設された操作部２５が備えられている。また、ビデオカメラ１の背面には動画を撮影するための動画撮影ボタン２５Ｍが、同じく上部には静止画を撮影するための静止画撮影ボタン２５Ｓがそれぞれ備えられている。なお、操作部２５、動画撮影ボタン２５Ｍ、静止画撮影ボタン２５Ｓ等の配置位置は一例であって、ビデオカメラ１の他の部分に配置されていてもよい。
【００５２】
動画撮影ボタン２５Ｍは動画モードが設定されている場合にオン（具体的には、ユーザにより押圧操作）されることにより、映像信号を動画として撮影して記録するためのボタンであり、オン状態でロックすることも可能である。また静止画撮影ボタン２５Ｓは静止画モードが設定されている場合にオン（具体的には、ユーザにより押圧操作）されることにより、その時点の映像信号を静止画として撮影して記録するためのボタンであり、オン状態でロックすることはできないが、オン操作し続けることにより所定時間間隔でのいわゆる連写が可能である。
【００５３】
また操作パネル２５には、記録（撮影）済みの映像信号を再生させるための再生ボタン（右向きの三角形のマーク）、再生中の映像信号を早送りさせるための早送りボタン（右向きの三角形のマークが二つ）、再生中の映像信号を巻き戻すための巻き戻しボタン（左向きの三角形のマークが二つ）、映像信号の再生を停止させるための停止ボタン（正方形のマーク）、再生中の映像信号を一時停止させるためのポーズボタン（二重縦線のマーク）等が備えられている。これらのボタンは、通常は記録（撮影）済みの映像信号を再生するために使用されるが、映像信号の記録（撮影）中に操作した場合にはいわゆる追いかけ再生のための操作手段として機能する。
【００５４】
図２は図１に示した本発明に係る映像記録再生装置としてのビデオカメラ１の内部構成例を示すブロック図である。なお、図２にその内部構成が示されている本発明に係る映像記録再生装置はいわゆるデジタルビデオカメラとして構成されているが、映像信号を取得した後の処理はビデオデッキと基本的に同様であるので、本発明に係る映像記録再生装置はビデオカメラとしてのみならずビデオデッキとしても構成可能である。また、この図２に示すブロック図では、映像／音声信号を実線で、制御信号を破線で示してある。
【００５５】
ビデオカメラ１の内部構成は、大きくは撮影系と、記録／再生系と、制御系とに分かれている。撮影系は、光学系１１，カメラ信号処理部１２，ＮＴＳＣ（ＰＡＬ）信号処理部１３，モニタ１８，ビューファインダ１９，スピーカ２０等により構成されている。
【００５６】
光学系１１は映像を撮影するために対物レンズ１１Ｌから被写体の光学像を入射させてたとえばＣＣＤ等の撮像デバイス１１Ｄでアナログの映像信号を取得し、カメラ信号処理部１２へ出力する映像信号取得手段である。カメラ信号処理部１２は、光学系１１から出力されるアナログの映像信号をデジタル映像信号に変換処理すると共に図示しないマイクロフォンから入力したアナログの音声信号をもデジタル音声信号に変換してデジタルの映像／音声信号として出力する。
【００５７】
ＮＴＳＣ（ＰＡＬ）信号処理部１３には内部回路が２系統備えられている。第１の系統はカメラ信号処理部１２から出力されるデジタルの映像信号をＮＴＳＣ方式（又はＰＡＬ方式）のアナログのコンポジット信号に変換すると共に、デジタルの音声信号をアナログの音声信号に変換してビューファインダ１９へ出力する第１の表示制御手段として機能する。なお、ＮＴＳＣ（ＰＡＬ）信号処理部１３の他の系統、即ち第２の系統は後述するように、記録媒体２３から読み出された再生映像をＮＴＳＣ方式（又はＰＡＬ方式）のアナログのコンポジット信号に変換すると共に、デジタルの音声信号をアナログの音声信号に変換してモニタ１８及びスピーカ２０へ出力する第１の表示制御手段として機能する。但し、ＮＴＳＣ（ＰＡＬ）信号処理部１３内で第１の系統から第２の系統へ、又は第２の系統から第１の系統へ信号を切り換えて出力することも勿論可能である。
【００５８】
第１の表示装置としてのビューファインダ１９及び第２の表示装置としてのモニタ１８はＮＴＳＣ（ＰＡＬ）信号処理部１３が変換して出力したＮＴＳＣ方式（又はＰＡＬ方式）のアナログのコンポジット信号を表示し、スピーカ２０はＮＴＳＣ（ＰＡＬ）信号処理部１３が変換して出力したアナログの音声信号を出力する。なお、後述するように、映像信号の記録時にはスピーカ２０からの音声の再生は行なわれない。
【００５９】
記録／再生系は、映像／音声符号化部１４，映像／音声復号処理部１５，記録バッファ１６，再生バッファ１７，光ピックアップ２２，及びハードディスクドライブで構成された映像信号用の記録媒体２３等により構成されている。なお、記録媒体２３はハードディスクドライブに限らず、ランダムアクセス可能な記録媒体であればよく、たとえばＤＶＤドライブとＤＶＤとの組み合わせ等でもよい。
【００６０】
映像／音声符号化部１４は、上述したカメラ信号処理部１２から出力されるデジタル映像／音声信号の内のデジタル映像信号を記録媒体２３に記録するためのたとえばＭＰＥＧ２等の符号化方式により制御部２４からの制御信号に従って符号化処理し、デジタル音声信号を記録媒体２３に記録するためのたとえばＰＣＭ等の符号化方式により制御部２４からの制御信号に従って符号化処理し、記録バッファ１６へ出力する。記録バッファ１６は、符号化映像／音声符号化部１４から出力される符号化映像／音声信号を一旦バッファリングした後に光ピックアップ２２へ出力する。
【００６１】
光ピックアップ２２は、記録バッファ１６にバッファリングされている符号化映像／音声信号を制御部２４からの制御信号に従って記録媒体２３に書き込んで記録し、また逆に記録媒体２３に記録されている符号化映像／音声信号を制御部２４からの制御信号に従って読み出して再生し、映像／音声復号処理部１５へ出力する。
【００６２】
再生バッファ１７は、光ピックアップ２２が記録媒体２３から読み出した符号化映像／音声信号をバッファリングした後に映像／音声復号処理部１５へ出力する。映像／音声復号処理部１５は、再生バッファ１７にバッファリングされている符号化映像／音声信号を制御部２４からの制御信号に従ってデジタル映像／音声信号に復号処理し、ＮＴＳＣ（ＰＡＬ）信号処理部１３へ出力する。なお、ＮＴＳＣ（ＰＡＬ）信号処理部１３は前述したように内部回路が２系統備えられており、その内の第２の系統が映像／音声復号処理部１５から出力されたデジタルの映像／音声信号、即ち再生信号を処理する。
【００６３】
なお、映像／音声復号処理部１５により復号されたデジタル映像／音声信号は前述したＮＴＳＣ（ＰＡＬ）信号処理部１３に与えられるので、記録媒体２３から読み出された符号化映像／音声信号も最終的にはモニタ１８，ビューファインダ１９に表示され、スピーカ２０から再生出力されることが可能である。
【００６４】
制御部２４はＲＯＭ，ＲＡＭ等を内蔵したマイクロプロセッサであり、ＲＯＭに予め記録されている制御プログラムに従って上述したビデオカメラ１の各構成要素を制御し、その間に一時的に発生して記憶する必要がある種々のデータをＲＡＭに一時記憶する。また、操作部２５はユーザがビデオカメラ１を操作するために必要な種々のスイッチ，ボタン等を備えている。この操作部２５をユーザが操作することに対応して、ＲＯＭに記憶されている制御プログラムに従って制御部２４がビデオカメラ１を制御する。
【００６５】
次に、上述のような構成の本発明に係る映像記録再生装置としてのビデオカメラ１の動作について、制御部２４による処理手順を示す図３のフローチャート、及びそのサブルーチンの処理手順を示す図４、図５、図６、更には映像信号の表示状態を示す図７の模式図を参照して説明する。
【００６６】
ビデオカメラ１の電源が投入されている場合、制御部２４はカメラ信号処理部１２、ＮＴＳＣ（ＰＡＬ）信号処理部１３及びビューファインダ１９を制御することにより、光学系１１が光学像から取得したアナログの映像信号及び図示しないマイクロフォンから入力したアナログの音声信号をカメラ信号処理部１２で共にデジタルデータに変換させ、ＮＴＳＣ（ＰＡＬ）信号処理部１３でＮＴＳＣ方式（又はＰＡＬ方式）のアナログのコンポジット信号に変換させてビューファインダ１９に表示させる（ステップＳ１１）。なお、この場合にはマイクロフォンから入力した音声信号はＰＣＭ等の符号化方式により符号化されるがスピーカ２０から再生されることはない。
【００６７】
ビデオカメラ１には撮影のためのモードとしては動画モードと静止画モードとが用意されており、操作部２５をユーザが操作することにより、いずれかのモードが設定される。静止画モードが設定されている場合（ステップＳ１２でＮＯ）、従来公知の静止画モードの処理が行なわれる（ステップＳ１３）。
【００６８】
動画モードが設定されている場合（ステップＳ１２でＹＥＳ）、制御部２４は動画撮影ボタン２５Ｍがオンされるまで待機する（ステップＳ１４でＮＯ）。動画撮影ボタン２５Ｍがオンされると（ステップＳ１４でＹＥＳ）、制御部２４は映像／音声符号化部１４、光ピックアップ２２を制御することにより、カメラ信号処理部１２から出力されているデジタルの映像信号及び音声信号を映像／音声符号化部１４に符号化させ、この符号化された映像／音声信号の記録媒体２３への書き込み（記録）処理を光ピックアップ２２に開始させる（ステップＳ１５）。
【００６９】
この後、後述する追いかけ再生の操作がなされない内に動画撮影ボタン２５Ｍがオフされると（ステップＳ１７でＮＯ、Ｓ１６でＹＥＳ）、映像信号の記録媒体２３への記録が停止される（ステップＳ１９）。このステップＳ１９以降の処理については後述する。
【００７０】
動画撮影ボタン２５Ｍがオフされないまま（オンされたまま）、操作パネル２５の「再生」、「早送り」、「巻き戻し」のいずれかのボタンがオン操作されると（ステップＳ１６でＮＯ、Ｓ１７でＹＥＳ）、制御部２４は追いかけ再生処理を実行する（ステップＳ１８）。この追いかけ再生処理の手順はサブルーチンとして用意されており、図４及び図５のフローチャートに示す如き処理が制御部２４により実行される。
【００７１】
追いかけ再生処理は、上記のステップＳ１７において「再生」、「早送り」、「巻き戻し」の内のいずれのボタンがオン操作されたかに応じて開始時点の処理が異なる。具体的には、ステップＳ１７において「再生」ボタンがオン操作された場合は、制御部２４は現在記録中の映像を最初から、即ち記録開始時点から実時間で再生してモニタ１８に表示する処理を開始する（ステップＳ３１）。また、ステップＳ１７において「早送り」ボタンがオン操作された場合は、制御部２４は現在記録中の映像を最初（記録開始時点）から早送り（但し、最も遅い早送り速度）で再生してモニタ１８に表示する処理を開始する（ステップＳ３２）。更に、ステップＳ１７において「巻き戻し」ボタンがオン操作された場合は、制御部２４は現在記録中の映像を現時点から逆送り（但し、最も遅い逆送り速度）で再生してモニタ１８に表示する処理を開始する（ステップＳ３３）。
【００７２】
このようにして追いかけ再生処理が開始されると、制御部２４は次に、現在記録中の映像の記録開始時点からの経過時間と、再生中の映像の記録開始時点からの経過時間との差を求め（ステップＳ３４）、この求められた差（時間差）に応じた表示処理を行なう（ステップＳ３５）。なおこの時間差に応じた表示処理の手順はサブルーチンとして用意されており、図６のフローチャートに示す如き処理が制御部２４により実行される。
【００７３】
以下、図６のフローチャートを参照して説明する。まず、制御部２４はステップＳ３４で求めた時間差が「０」であるか否かを判断し（ステップＳ５１）、時間差が「０」である場合は（ステップＳ５１でＹＥＳ）、ＮＴＳＣ（ＰＡＬ）信号処理部１３に制御信号を与えて現在記録中の映像をモニタ１８に表示し（ステップＳ５５）、リターンする。この際、ビューファインダ１９にも現在記録中の映像が表示されているので、両映像は同じサイズ（モニタ１８及びビューファインダ１９それぞれの最大表示サイズ）で表示される。
【００７４】
一方、時間差が所定時間（たとえば１０分）よりも大である場合（ステップＳ５１でＮＯ，Ｓ５２でＹＥＳ）、制御部２４はＮＴＳＣ（ＰＡＬ）信号処理部１３に制御信号を与えてモニタ１８に再生映像を所定のサイズ（たとえば縦横共に最大サイズの１／２のサイズ）で表示し（ステップＳ５３）、リターンする。
【００７５】
更に、時間差が所定時間（たとえば１０分）以下である場合（ステップＳ５２でＮＯ）、制御部２４は（「最大サイズ」−「所定のサイズ」）×((「所定時間」−「時間差」）／「所定時間」）のサイズで再生映像をモニタ１８に表示するようにＮＴＳＣ（ＰＡＬ）信号処理部１３に制御信号を与えて再生映像を表示させ（ステップＳ５４）、リターンする。
【００７６】
具体的には、現在記録中の映像と再生中の映像との時間差が所定時間よりも大である場合は、図７（ａ）の模式図に示すように、再生映像は縦横共にモニタ１８の表示サイズの１／２のサイズで表示される。また、現在記録中の映像と再生中の映像との時間差が所定時間以下であり且つ「０」ではない場合は、図７（ｂ）の模式図に示すように、再生映像は縦横共にモニタ１８の表示サイズ１／２よりは大きいが最大サイズよりは小さいサイズで表示される。更に、現在記録中の映像と再生中の映像との時間差が「０」である場合は、図７（ｃ）の模式図に示すように、再生映像は最大サイズ、即ちモニタ１８の表示サイズと同一のサイズで表示される。
【００７７】
従って、追いかけ再生中は、たとえば現在記録中の映像と再生映像との時間差が一定である場合はモニタ１８には図７（ｂ）に示すように中間的な一定のサイズで再生映像が表示され続ける。しかし、たとえば再生映像の再生速度を早くした場合（早送り再生した場合）にはモニタ１８に表示される再生映像のサイズは図７（ａ）に示す中間的なサイズから徐々に大きくなってゆく。この場合、現在記録中の映像に再生映像が追いついた場合（時間差が「０」になった場合）には、図７（ｃ）に示すように記録中の映像がそのまま表示されるので、最大サイズでの表示になる。逆に、逆送り再生した場合にはモニタ１８に表示される再生映像のサイズは図７（ａ）に示す中間的なサイズから徐々に小さくなってゆく。この場合、現在記録中の映像から再生映像が所定時間以上遅延した状態になると、図７（ａ）に示すように再生映像は所定のサイズ、即ち縦横共に１／２のサイズで表示される。
【００７８】
この例では、現在記録中の映像と再生映像との時間差が所定値を越えた場合以降には再生映像は所定のサイズで再生映像が表示され続けるが、たとえばより時間差が大になった場合には再生映像をより小さくしてゆき、最終的には消去するようにしてもよい。
【００７９】
図６に示すサブルーチンのフローチャートの処理が終了すると図４及び図５のフローチャートへリターンして、制御部２４は次に動画撮影ボタン２５Ｍがオフ操作されたか否かを調べる（ステップＳ３６）。ここで、動画撮影ボタン２５Ｍがオフ操作された場合には（ステップＳ３６でＹＥＳ）、制御部２４は図４及び図５に示すサブルーチンから図３に示すフローチャートへリターンする。この後の処理については後述する。
【００８０】
一方、ステップＳ３６において動画撮影ボタン２５Ｍがオフ操作されていなかった場合（ステップＳ３６でＮＯ）、制御部２４は再生ボタンがオン操作されたか否かを判断する（ステップＳ３７）。再生ボタンがオン操作されていた場合（ステップＳ３７でＹＥＳ）、制御部２４は現在早送り再生中又は巻き戻し再生（逆再生）中であるか否かを判断する（ステップＳ３８）。いずれでもない場合（ステップＳ３８でＮＯ）、即ち実時間での追いかけ再生中である場合は制御部２４はそのままステップＳ３４へ処理を戻す。この場合、ステップＳ３４で求められる時間差は前回と同一になるので、前述した時間差が一定である場合の表示処理が行なわれることになる。ステップＳ３８において早送り再生中又は巻き戻し再生（逆再生）中であった場合（ステップＳ３８でＹＥＳ）、制御部２４は早送り再生中又は巻き戻し再生（逆再生）を停止して実時間再生を開始し（ステップＳ３９）、ステップＳ３４へ処理を戻す。
【００８１】
ステップＳ３７において再生ボタンではなく早送りボタンがオン操作されていた場合（ステップＳ３７でＮＯ，Ｓ４０でＹＥＳ）、制御部２４は現在早送り再生中であるか否かを判断する（ステップＳ４１）。早送り再生中である場合（ステップＳ４１でＹＥＳ）、制御部２４は早送り再生の速度を１段階上げて（ステップＳ４３）、ステップＳ３４へ処理を戻す。この場合、ステップＳ３４で求められる時間差は前回よりも小さくなるので、モニタ１８に表示されている再生映像は徐々に大きくなるように表示処理が行なわれることになる。また、ステップＳ４１で早送り再生中でないと判断された場合（ステップＳ４１でＮＯ）、制御部２４は再生中の映像の早送り再生をその時点から開始し（ステップＳ４２）、ステップ３４へ処理を戻す。この場合、ステップＳ３４で求められる時間差は前回よりも小さくなるので、モニタ１８に表示されている再生映像は徐々に大きくなるように表示処理が行なわれることになる。
【００８２】
更に、ステップＳ４０において早送りボタンではなく巻き戻しボタンがオン操作されていた場合（ステップＳ４０でＮＯ，Ｓ４４でＹＥＳ）、制御部２４は現在巻き戻し再生中であるか否かを判断する（ステップＳ４５）。巻き戻し再生中である場合（ステップＳ４５でＹＥＳ）、制御部２４は巻き戻し再生（逆送り再生）の速度を１段階上げて（ステップＳ４６）、ステップＳ３４へ処理を戻す。この場合、ステップＳ３４で求められる時間差は前回よりも大きくなるので、モニタ１８に表示されている再生映像は徐々に小さくなるように表示処理が行なわれることになる。また、ステップＳ４５で巻き戻し再生（逆送り再生）中でないと判断された場合（ステップＳ４５でＮＯ）、制御部２４は再生中の映像の巻き戻し再生（逆送り再生）をその時点から開始し（ステップＳ４７）、ステップ３４へ処理を戻す。この場合、ステップＳ３４で求められる時間差は前回よりも小さくなるので、モニタ１８に表示されている再生映像は徐々に大きくなるように表示処理が行なわれることになる。
【００８３】
なお、停止ボタンがオン操作された場合（ステップＳ４４でＮＯ，Ｓ４８でＹＥＳ）、制御部２４は追いかけ再生を停止し（ステップＳ４９）、リターンする。但し、停止ボタンのオン操作も行なわれなかった場合は（ステップＳ４８でＮＯ）、制御部２４はステップ３４へ処理を戻すので、それ以前の状態が継続されることになる。
【００８４】
以上のように、本実施の形態では、現在記録中の映像を第１の表示装置であるビューファインダ１９に、追いかけ再生中の映像を第２の表示装置であるモニタ１８にそれぞれ表示するので、ユーザはどちらがどちらの映像であるのかの判断を誤ることがない。また、現在記録中の映像に対する再生映像の遅延時間に応じて第２の表示装置であるモニタ１８に表示される映像の大きさが変化するので、両映像の時間差を直感的に認識することが可能になる。
【００８５】
なお、図４及び図５に示すサブルーチンから図３に示すフローチャートへリターンした場合、制御部２４は現在記録中の映像の記録を停止し（ステップＳ１９）、映像を再生中であるか否かを判断する（ステップＳ２０）。映像の再生中でない場合は（ステップＳ２０でＮＯ）、制御部２４は処理をステップＳ１１へ戻す。また映像の再生中である場合は（ステップＳ２０でＹＥＳ）、制御部２４は停止ボタンがオン操作された否かを判断し（ステップＳ２１）、停止ボタンがオン操作された場合は（ステップＳ２１でＹＥＳ）、処理をステップＳ１１へ戻す。
【００８６】
従って、映像の記録が停止された後に、記録済みの映像の再生中であり（ステップＳ２０でＹＥＳ）、停止ボタンがオン操作されていない間は（ステップＳ２１でＮＯ）、制御部２４は追いかけ再生ではなく、通常の再生処理を行なう（ステップＳ２２）。
【００８７】
図８は本発明装置に係る映像記録再生装置の他の実施の形態の内部構成例を示すブロック図であり、上述の実施の形態同様にビデオカメラに適用した例である。
【００８８】
この図８に示す例では、ＮＴＳＣ（ＰＡＬ）信号処理部１３から第１の表示装置であるビューファインダ１９へ出力される映像信号と第２の表示装置であるモニタ１８へ出力される映像信号とを入力してモニタ１８の画面１８Ｓに並列して表示するための合成回路３１が備えられている。その他の構成は図２に示した実施の形態のブロック図と同様である。
【００８９】
この合成回路３１は制御部２４から与えられる制御信号により、上述の実施の形態と同様に、記録中の映像信号をビューファインダ１９に、再生映像をモニタ１８にそれぞれ表示させることが可能であることは勿論であるが、記録中の映像信号と再生映像信号とを１画面に合成してモニタ１８の画面１８Ｓに並列して表示させることも出来る。
【００９０】
図９は図８に示す合成回路３１によりモニタ１８の画面１８Ｓに、記録中（録画中）の映像信号と再生中の映像信号とを並列して表示した状態を示す模式図である。この例では、モニタ１８の画面１８Ｓの左側寄りの位置に参照符号１８Ｓ１にて示すように記録中の映像がモニタ１８の画面サイズに比して縦横共に１／２のサイズに固定されて表示されており、同じく右側寄りの位置に参照符号１８Ｓ２にて示すように再生中の映像が更に小さく表示されている。なお、図９に示す例ではユーザの利便性を考慮して、記録中の映像１８Ｓ１には「録画中」との、再生映像１８Ｓ２には「再生中」との注意を喚起するための表示が表示されている。
【００９１】
このように、記録中の映像信号と再生映像信号とをモニタ１８の画面１８Ｓに並列して表示した場合には、現在記録中（録画中）の映像は固定されたサイズで表示され、これに対して再生中の映像信号は、現在記録中の映像との間の時間差に応じて、所定の最小のサイズと所定の最大のサイズとの間のサイズで表示される。勿論、両映像の時間差の変化に伴なって、再生中の映像のサイズが変化することは前述した実施の形態と同様である。
【００９２】
以上のように、本実施の形態では、現在記録中の映像を一つの表示装置、たとえばモニタ１８に並列して表示するが、再生中の映像は現在記録中の映像に比して常に小さく表示されるので、どちらがどちらの映像であるのかの判断を誤ることがない。また、現在記録中の映像に対する再生映像の遅延時間に応じて再生中の映像が表示されるサイズが変化するので、両映像の時間差を直感的に認識することが可能になる。
【００９３】
なお、上述の実施の形態ではモニタ１８に両映像を並列して表示しているが、モニタ１８ではなくビューファインダ１９に両映像を並列して表示することも勿論可能であり、更にモニタ１８とビューファインダ１９との双方に同時に両映像を並列して表示することも可能であることはいうまでもない。
【００９４】
ところで、本発明に係る映像記録再生装置は、映像信号取得手段としての光学系１１をたとえばＴＶチューナに代え、ＮＴＳＣ（ＰＡＬ）信号処理部１３からの２系統の映像信号の出力を合成回路３１で合成して映像出力端子からモニタ装置へ出力可能に、ＮＴＳＣ（ＰＡＬ）信号処理部１３からの音声信号の出力を音声出力端子からモニタ装置の又は単独のスピーカへ出力可能に構成すれば、ＴＶ放送用のビデオデッキとして実現される。
【００９５】
図１０は本発明に係る映像記録再生装置をＴＶ放送用のビデオデッキとして実現した場合の内部構成例を示すブロック図であり、図２又は図８に示したビデオカメラの構成例と同一の構成要素には同一の参照符号を付与することによって説明を省略する。
【００９６】
図１０に示す例では、ビデオカメラにおける光学系１１に代えてＴＶチューナ１１１が、カメラ信号処理部１２に代えてＴＶ信号処理部１２１がそれぞれ備えられている。また、ＮＴＳＣ（ＰＡＬ）信号処理部１３からの２系統の映像信号の出力は合成回路３１によって１画面に並列して表示されるように合成されて映像信号出力端子３２へ与えられる。また、ＮＴＳＣ（ＰＡＬ）信号処理部１３から出力される音声信号は音声信号出力端子３３へ与えられる。
【００９７】
従って、映像信号出力端子３２にモニタ装置又はＴＶ受像機の映像信号入力端子を接続し、音声信号出力端子３３にスピーカを直接又はＴＶ受像機の音声入力端子を接続すれば、図１０に内部構成のブロック図を示す本発明の映像記録再生装置はビデオデッキとして機能する。このように本発明の映像記録再生装置をＴＶ放送用のビデオデッキとして実現した場合には、ユーザはモニタ装置又はＴＶ受像機の表示画面に並列して表示される記録中の映像信号、換言すればＴＶ放送を受信してリアルタイムで表示している画面でＴＶ番組を視聴すると共に、そのＴＶ番組を任意の時間遅延して追いかけ再生した映像を表示している再生映像の画面をも同時に視聴することが可能になる。
【００９８】
このような構成のビデオデッキは、たとえばスポーツ中継を途中から視聴するような場合に、リアルタイムの映像を視聴しつつ放送開始時点からの映像をもたとえば早送りで視聴するような場合、あるいはユーザが任意の場面をリアルタイムの映像を視聴しつつリプレイさせるような場合に好都合である。従来の追いかけ再生可能なビデオデッキでは、追いかけ再生を行なった場合には再生映像のみを出力していたため、たとえばＴＶ受像機の２画面機能を利用して一方の画面にはリアルタイムの映像をＴＶ受像機のチューナで表示させ、他方の画面にはビデオデッキによる追いかけ再生中の映像を表示させるという工夫が必要であった。しかし、上述のような本発明に係る映像記録再生装置の構成を適用したビデオデッキを使用すれば、ビデオデッキの操作のみで上述のような視聴方法が実現されることになる。
【００９９】
なお、上述の図１０に示した構成例ではＴＶチューナ１１１からの入力を処理するように構成されているが、ＴＶチューナ以外に、他のビデオデッキ（テープ方式、ハードディスク方式、ＤＶＤ方式等）、ケーブルテレビ、ＣＳ放送受信用のセットボックス等から映像信号及び音声信号を入力するための入力端子を備えていてもよいことはいうまでもない。更に、図１０に示した構成例はＴＶ放送の受信機能を有するパーソナルコンピュータにも適用可能であることはいうまでもない。
【０１００】
ところで、上述のような構成のビデオデッキが出力する映像信号をモニタ装置又はＴＶ受像器のモニタに表示する場合には、それらはビデオカメラのモニタ等に比して非常に大きいため、現在記録中の映像（この場合はリアルタイムで表示中のＴＶ放送の映像）と追いかけ再生中の映像との時間差を前述した以外の方法で表現することも可能である。
【０１０１】
たとえば、図１１に示すように、映像信号出力端子３２に接続されたモニタ装置の画面３２Ｓにおいて、記録中の映像３２Ｓ１はモニタ装置の画面３２Ｓの最大表示サイズに対して縦横共に１／２のサイズ左右方向の左端部で上下方向の中央部に表示し、追いかけ再生中の映像は更にその１／２のサイズに固定して表示する場合を考える。
【０１０２】
この場合、両映像の時間差が所定時間以上である場合には図１１（ａ）の模式図に示すように、再生映像３２Ｓ２はモニタ装置の画面３２Ｓの右端部に表示し、両映像の時間差が「０」の場合には図１１（ｃ）の模式図に示すように、再生映像３２Ｓ２はモニタ装置の画面３２Ｓの左端部側へ移動して記録中の映像３２Ｓ１に接するように表示し、両映像の時間差が「０」と所定時間との間である場合には図１１（ｂ）の模式図に示すように、再生映像３２Ｓ２は記録中の映像３２Ｓ１との時間差に応じて中間の位置に表示されるようにすることも勿論可能である。
【０１０３】
以上に詳述したように本発明に係る映像記録再生装置をビデオカメラとして実現した場合には、ビデオカメラで撮影中（記録中）の映像がビューファインダに表示され、その映像を遅延して再生させたいわゆる追いかけ再生の映像がモニタに表示されるので、いずれの映像が撮影中の映像、又は追いかけ再生中の映像であるかが容易に識別可能になる。
【０１０４】
また同様に、本発明に係る映像記録再生装置をビデオデッキとして実現した場合には、一つのモニタにリアルタイムでＴＶ放送の映像とそれを遅延して再生させたいわゆる追いかけ再生の映像が表示され、しかも両者が異なる状態で表示されるので、いずれの映像が撮影中の映像、又は追いかけ再生中の映像であるかが容易に識別可能になる。
【０１０５】
更に本発明に係る映像記録再生装置では、上記の両映像の時間差に応じて異なる表示状態になるので、両者の時間差が容易に識別可能になる。
【図面の簡単な説明】
【０１０６】
【図１】本発明に係る映像記録再生装置の一実施の形態としてのビデオカメラの外観を示す模式的斜視図である。
【図２】本発明に係る映像記録再生装置としてのビデオカメラの内部構成例を示すブロック図である。
【図３】本発明に係る映像記録再生装置としてのビデオカメラの動作を説明するための制御部による処理手順を示すフローチャートである。
【図４】本発明に係る映像記録再生装置としてのビデオカメラの動作を説明するための制御部による処理手順を示すフローチャートである。
【図５】本発明に係る映像記録再生装置としてのビデオカメラの動作を説明するための制御部による処理手順を示すフローチャートである。
【図６】本発明に係る映像記録再生装置としてのビデオカメラの動作を説明するための制御部による処理手順を示すフローチャートである。
【図７】本発明に係る映像記録再生装置としてのビデオカメラのビューファインダとモニタとの表示状態を示す模式図である。
【図８】本発明装置に係る映像記録再生装置の他の実施の形態の内部構成例を示すブロック図であり、上述の実施の形態同様にビデオカメラに適用した例である。
【図９】本発明装置に係る映像記録再生装置の他の実施の形態の合成回路によりモニタの画面に記録中の映像信号と再生映像信号とを並列して表示した状態を示す模式図である。
【図１０】本発明に係る映像記録再生装置をＴＶ放送用のビデオデッキとして実現した場合の内部構成例を示すブロック図である。
【図１１】本発明装置に係る映像記録再生装置をＴＶ放送用のビデオデッキとして実現した場合の表示装置への映像の表示状態を示す模式図である。
【符号の説明】
【０１０７】
１  ビデオカメラ
１１  光学系
１３  ＮＴＳＣ（ＰＡＬ）信号処理部
１４  映像／音声符号化部
１５  映像／音声復号処理部
１８  モニタ
１９  ビューファインダ
２２  光ピックアップ
２４  制御部
２５  操作部
３１  合成部
３２  映像信号出力端子
３２Ｓ  モニタ装置の画面
３３  音声信号出力端子
１１１  ＴＶチューナ
【図１】
2006166143.tif 000003
【図２】
2006166143.tif 000004
【図３】
2006166143.tif 000005
【図４】
2006166143.tif 000006
【図５】
2006166143.tif 000007
【図６】
2006166143.tif 000008
【図７】
2006166143.tif 000009
【図８】
2006166143.tif 000010
【図９】
2006166143.tif 000011
【図１０】
2006166143.tif 000012
【図１１】
2006166143.tif 000013